(57)【要約】【課題】カジノにおいてカードゲーム終了後に廃棄される不正検出手段を有したカードを汎用ＩＤタグカードとして再利用する、カジノゲーム用カードのリサイクル方法を得る。【解決手段】ガードゲーム終了後における不正検出手段を有したカードを回収し、該カードの両面又は片面にリサイクルカードとして使用するための印刷処理を施し、会員証，ポイントカード，割引カード，ホテルや病院等の入退室カード等の汎用ＩＤタグカードとして再利用する。該カードの運用形態として、カードのＩＤ情報を読み取る必要のある場所に無線ＩＤ読み取り装置又はホログラムＩＤ読み取り装置を設置し、該無線ＩＤ読み取り装置又はホログラムＩＤ読み取り装置をＬＡＮ経由にて端末サーバに接続し、更にＬＡＮ経由にて上位の管理サーバ等に接続し、読み取ったＩＤ情報に従いデータベースの更新及び各種処理やサービス等を実施する。【選択図】　　　　図１
2004102577.tif 000002
【特許請求の範囲】
【請求項１】
カードゲーム終了後における不正検出手段を有したカードを回収し、該カードの両面又は片面にリサイクルカードとして使用するための印刷処理を施し、会員証，ポイントカード，割引カード，ホテルや病院等の入退室カード等の汎用ＩＤタグカードとして再利用することを特徴とする、カジノゲーム用カードのリサイクル方法。
【請求項２】
カードのＩＤ情報を読み取る必要のある場所に無線ＩＤ読み取り装置又はホログラムＩＤ読み取り装置を設置し、該無線ＩＤ読み取り装置又はホログラムＩＤ読み取り装置をＬＡＮ経由にて端末サーバに接続し、更にＬＡＮ経由にて上位の管理サーバ等に接続し、読み取ったＩＤ情報に従いデータベースの更新及び各種処理やサービス等を実施することにより汎用ＩＤタグカードとして使用できることを特徴とした、請求項１に記載のカジノゲーム用カードのリサイクル方法。
【発明の詳細な説明】
【０００１】
【発明の属する技術分野】
本発明は、本願出願人による特願２００２−２５５０９４の「カードゲームの不正防止監視システム」において、カードゲーム終了後に廃棄される不正検出手段を有したカードを汎用ＩＤタグカードとして再利用する、カジノゲーム用カードのリサイクル方法に関するものである。
【０００２】
【従来の技術】
従来、カジノでブラックジャックやバカラ等のカードゲームを行う場合、カードゲームごとに親（ディーラー）は封印された新規カードを開封してカードゲームを行っている。そして、カードゲームが終了した後、該カードゲームで使用したカードは不正防止のため廃棄処分されていた。
【０００３】
【発明が解決しようとする課題】
上記、本願出願人による特願２００２−２５５０９４の「カードゲームの不正防止監視システム」にて使用するカードは、不正検出手段として数十ビットから成るＩＤ番号を有した超小型無線ＩＤタグチップ及び可撓性アンテナを埋め込んだカードや、数十ビットから成るＩＤ番号を有したホログラムを印刷し又はホログラムシールを貼付したカードであり、ゲーム中に行われる不正を防止するために確実な効果があるものの、新規ゲームにおいては新規カードを使用することになり不正検出手段を有したカードといえども廃棄処分されるため、環境保護や資源の有効利用という観点から再利用する方法が求められている。
【０００４】
本発明は、上記課題を解決するために提案されたものであり、カジノにおいてカードゲーム終了後に廃棄される不正検出手段を有したカードを汎用ＩＤタグカードとして再利用する、カジノゲーム用カードのリサイクル方法を提供することを目的とする。
【０００５】
【課題を解決するための手段】
上記課題を解決するため、本発明のカジノゲーム用カードのリサイクル方法においては、ガードゲーム終了後における不正検出手段を有したカードを回収し、該カードの両面又は片面にリサイクルカードとして使用するための印刷処理を施し、会員証，ポイントカード，割引カード，ホテルや病院等の入退室カード等の汎用ＩＤタグカードとして再利用する。
【０００６】
該カードの運用形態として、カードのＩＤ情報を読み取る必要のある場所に無線ＩＤ読み取り装置又はホログラムＩＤ読み取り装置を設置し、該無線ＩＤ読み取り装置又はホログラムＩＤ読み取り装置をＬＡＮ経由にて端末サーバに接続し、更にＬＡＮ経由にて上位の管理サーバ等に接続し、読み取ったＩＤ情報に従いデータベースの更新及び各種処理やサービス等を実施する。
【０００７】
【発明の実施の形態及び実施例】
本発明の実施の形態及び実施例を図を用いて説明する。まず、本願出願人による特願２００２−２５５０９４の「カードゲームの不正防止監視システム」にて使用するカードすなわち本発明のカジノゲーム用カードのリサイクル方法において使用するＩＤ情報を有したカードを説明する。
【０００８】
図１は本発明のカジノゲーム用カードのリサイクル方法において使用するＩＤ情報を有したカードの構成図であり、（ａ）はカード１の任意の場所の一箇所に、該カード１の数字及びマークを特定するための下位６ビットとカードセットの固有番号を特定するための上位数十ビットから成るＩＤ番号を有した超小型無線ＩＤタグチップ２及び可撓性を有したアンテナ３を埋め込んだカードを示している。
【０００９】
図２は超小型無線ＩＤタグチップの回路ブロック図であり、アンテナ３を中継してＩＤ番号情報を送受信するためのＲＦ回路５と、受信電波を整流して当該超小型無線ＩＤタグチップ２の直流回路電源Ｖｄｄを生成するための整流回路６と、前記ＲＦ回路５のアナログ信号と後段の制御回路８のデジタル信号とをシリアルデータ中継するためのシリアルインターフェース回路７と、カード１の数字及びマークを特定するための下位６ビットとカードセットの固有番号を特定するための上位数十ビットから成るＩＤ番号を記憶させるためのメモリ回路９と、前記シリアルインターフェース回路７やメモリ回路９の制御を行うための制御回路８等にて構成する。
【００１０】
図３は超小型無線ＩＤタグチップのビット数及びビット内容を示した図であり、カード１を特定するためのＩＤ番号は、カード１の数字及びマークを特定するための６ビットの下位ビットとカードセットの固有番号を特定するための数十ビットの上位ビットから成る。下位ビットの６ビットからは２６＝６４種類のＩＤを識別でき、５２枚からなるカード１を識別することができる。また、上位ビットは例えば３３ビットとすれば２３３≒８５億９千万種類のＩＤを識別できるため、全世界のカジノで行われるカードゲームのカードセットを識別することができる。なお、本発明のカジノゲーム用カードのリサイクル方法にて使用するリサイクルカードは、カードゲームとは関係なく使用されるため下位ビットと上位ビットとを区別する必要がなく、全体を通して数十ビットのＩＤ情報を有した汎用ＩＤタグカードと考えて構わない。
【００１１】
また、（ｂ）はカード１の両面において任意の場所の一箇所以上に、該カード１の数字及びマークを特定するための下位６ビットとカードセットの固有番号を特定するための上位数十ビットから成るＩＤ番号を有したホログラム４を印刷し又はホログラムシールを貼付したカードを示している。該ホログラム４の印刷面又はホログラムシールの形状は円形又は方形であり、大きさは約５ｍｍ程度である。なお、ＩＤタグのビット数及びビット内容は、前記超小型無線ＩＤタグチップで説明した内容と同等である。
【００１２】
そして、カードゲーム終了後に回収されたカード１をリサイクルカードとして使用するため、該カード１の両面又は片面に印刷処理を施し、新たなデザインを有した汎用ＩＤタグカードとする。図１の（ａ）ではカード１の全面に印刷処理１０を施し、（ｂ）ではホログラム４の部分を除いた全面に印刷処理１０を施した状態を示している。該印刷処理における印刷内容は、一般のカードと同様に利用会社ごとに異なり任意である。また、該印刷処理されたカード１の利用形態は、利用会社に販売又はレンタルするなど任意である。
【００１３】
次に、上記印刷処理されたカード１を会員証，ポイントカード，割引カード，ホテルや病院等の入退室カード等の汎用ＩＤタグカードとして再利用する場合の運用形態を説明する。
【００１４】
図４は本発明のカジノゲーム用カードのリサイクル方法においてリサイクル処理したカードの運用形態を示した図であり、カード１は超小型無線ＩＤタグチップ２を埋め込んだカードを示している。そして、該カード１のＩＤ情報を読み取る必要のある場所に無線ＩＤ読み取り装置１１が設置されている。また、該無線ＩＤ読み取り装置１１はＬＡＮ１３経由にて端末サーバ１４に接続され、更にＬＡＮ１３経由にて上位の管理サーバ（図示せず）等に接続される。
【００１５】
上記読み取り動作としては、無線ＩＤ読み取り装置１１より一定周期ごとに読み取り信号を発射すると、該電波をアンテナ３で受信することにより整流回路６にて直流回路電源Ｖｄｄを生成してアクティブになった超小型無線ＩＤタグチップ２内の制御回路８がメモリ回路９よりＩＤ情報を読み出し、シリアルインターフェース回路７及びＲＦ回路５を経由しアンテナ３からＩＤ信号を発射する。そして、該ＩＤ信号を無線ＩＤ読み取り装置１１が受信することにより読み取りが行われる。
【００１６】
また、カード１をホログラム４を印刷し又はホログラムシールを貼付したカードの場合は、無線ＩＤ読み取り装置１１の代わりにホログラムＩＤ読み取り装置（図示せず）にするだけで上記と同様の運用形態をとることができる。
【００１７】
上記読み取り動作としては、１台以上のホログラムＩＤ読み取り装置より一定周期ごとに読み取り用のレーザー光を発射すると、該レーザー光はホログラム４に進入しホログラムパターンに重畳されたＩＤ信号を含んだレーザー光として反射する。そして、該ＩＤ信号を含んだレーザー光を各ホログラムＩＤ読み取り装置が受信することにより読み取りが行われる。
【００１８】
そして、無線ＩＤ読み取り装置１１又はホログラムＩＤ読み取り装置にて読み取ったＩＤ情報に従いデータベースの更新及び各種処理やサービス等を実施することにより汎用ＩＤタグカードとして使用できるため、カジノゲーム用カードのリサイクルが有効且つ安価に実施されることになる。
【００１９】
【発明の効果】
以上述べたように、本発明のカジノゲーム用カードのリサイクル方法によれば、カジノにおいてカードゲーム終了後に廃棄される不正検出手段を有したカードを回収し、該カードの両面又は片面にリサイクルカードとして使用するための印刷処理を施すことにより、会員証，ポイントカード，割引カード，ホテルや病院等の入退室カード等の汎用ＩＤタグカードとして有効且つ安価に再利用することができるという絶大なる効果を奏する。また、環境保護にも貢献することができるという効果も奏する。
【図面の簡単な説明】
【図１】本発明のカジノゲーム用カードのリサイクル方法において使用するＩＤ情報を有したカードの構成図である。
【図２】超小型無線ＩＤタグチップの回路ブロック図である。
【図３】超小型無線ＩＤタグチップのビット数及びビット内容を示した図である。
【図４】本発明のカジノゲーム用カードのリサイクル方法においてリサイクル処理したカードの運用形態を示した図である。
【符号の説明】
１　カード
２　超小型無線ＩＤタグチップ
３　アンテナ
４　ホログラム
５　ＲＦ回路
６　整流回路
７　シリアルインターフェース回路
８　制御回路
９　メモリ回路
１０　印刷処理
１１　無線ＩＤ読み取り装置
１２　制御装置
１３　ＬＡＮ
１４　端末サーバ
【図１】
2004102577.tif 000003
【図２】
2004102577.tif 000004
【図３】
2004102577.tif 000005
【図４】
2004102577.tif 000006